(57)【特許請求の範囲】
【請求項１】
ＬＥＤ点灯装置であって、
交流電源が供給される入力フィルタ回路、該入力フィルタ回路の出力端に接続された整流回路、前記整流回路の出力端に接続されたＤＣ／ＤＣコンバータ回路、及び該ＤＣ／ＤＣコンバータ回路の出力端間に接続された電解コンデンサを含む平滑回路を有し、前記ＤＣ／ＤＣコンバータ回路の直流出力電流をＬＥＤに供給する点灯回路が実装された回路基板と、
前記回路基板が内包されたケースであって、前記回路基板に垂直な方向において一端側の第１の領域及び他端側の第２の領域を有し、前記第１の領域に少なくとも前記入力フィルタ回路及び前記電解コンデンサが配置されるとともに前記第２の領域に少なくとも前記ＤＣ／ＤＣコンバータ回路が配置されるように前記回路基板が内包されたケースと、
前記ケース内で前記第１の領域に充填されずに前記第２の領域に充填された放熱性充填剤と
を備えたＬＥＤ点灯装置。
【請求項２】
ＬＥＤ点灯装置であって、
交流電源が供給される入力フィルタ回路、該入力フィルタ回路の出力端に接続された整流回路、前記整流回路の出力端に接続されたＤＣ／ＤＣコンバータ回路、該ＤＣ／ＤＣコンバータ回路の入力端間に接続された電解コンデンサを含む平滑回路、及び前記ＤＣ／ＤＣコンバータ回路の出力端間に接続された出力コンデンサを有し、前記ＤＣ／ＤＣコンバータ回路の直流出力電流をＬＥＤに供給する点灯回路が実装された回路基板と、
前記回路基板が内包されたケースであって、前記回路基板に垂直な方向において一端側の第１の領域及び他端側の第２の領域を有し、前記第１の領域に少なくとも前記入力フィルタ回路及び前記電解コンデンサが配置されるとともに前記第２の領域に少なくとも前記ＤＣ／ＤＣコンバータ回路が配置されるように前記回路基板が内包されたケースと、
前記ケース内で前記第１の領域に充填されずに前記第２の領域に充填された放熱性充填剤と
を備えたＬＥＤ点灯装置。
【請求項３】
請求項１又は２に記載のＬＥＤ点灯装置において、前記整流回路がダイオードブリッジを含み、前記整流回路のうちの少なくとも前記ダイオードブリッジが前記第２の領域に配置された、ＬＥＤ点灯装置。
【請求項４】
請求項１から３のいずれか一項に記載のＬＥＤ点灯装置において、前記交流電源に接続される入力配線及び前記ＬＥＤに接続される出力配線が前記ケースの前記一端側から引き出されるように構成された、ＬＥＤ点灯装置。
【請求項５】
請求項１から４のいずれか一項に記載のＬＥＤ点灯装置において、
前記平滑回路が、
並列接続される第１及び第２の電解コンデンサと、
前記第１及び第２の電解コンデンサの通電状態を制御するように構成されたスイッチ回路と、
前記第１の電解コンデンサの両端電圧を検出する電圧検出回路と、
前記第１の電解コンデンサを通電させた状態で前記両端電圧の低周波リップルの大きさが所定値を超えた場合に前記第１の電解コンデンサを非通電状態として前記第２の電解コンデンサを通電状態とするように前記スイッチ回路を制御する切換回路と
を備える、ＬＥＤ点灯装置。
【請求項６】
請求項１から４のいずれか一項に記載のＬＥＤ点灯装置において、
前記平滑回路が、
並列接続される第１及び第２の電解コンデンサと、
前記第１及び第２の電解コンデンサの通電状態を制御するように構成されたスイッチ回路と、
前記第１の電解コンデンサに流れるコンデンサ電流を検出する電流検出回路と、
前記第１の電解コンデンサを通電させた状態で前記コンデンサ電流の低周波リップルの大きさが所定値を超えた場合に前記第１の電解コンデンサを非通電状態として前記第２の電解コンデンサを通電状態とするように前記スイッチ回路を制御する切換回路と
を備える、ＬＥＤ点灯装置。
【請求項７】
請求項６に記載のＬＥＤ点灯装置において、前記電流検出回路が電流検出抵抗を備え、該電流検出抵抗が前記第２の領域に配置された、ＬＥＤ点灯装置。
【請求項８】
請求項１から４のいずれか一項に記載のＬＥＤ点灯装置において、
前記平滑回路が、
並列接続される第１及び第２の電解コンデンサと、
前記第１及び第２の電解コンデンサの通電状態を制御するように構成されたスイッチ回路と、
前記ＬＥＤの点灯回ごとに前記第１及び第２の電解コンデンサが択一的に交互に通電するように前記スイッチ回路を制御する切換回路と
を備える、ＬＥＤ点灯装置。
【請求項９】
請求項５から８のいずれか一項に記載のＬＥＤ点灯装置において、前記スイッチ回路が前記第２の領域に配置された、ＬＥＤ点灯装置。
【請求項１０】
請求項１から９のいずれか一項に記載のＬＥＤ点灯装置であって、前記第１の領域において、前記放熱性充填剤と接する断熱性充填剤を更に備えたＬＥＤ点灯装置。
【請求項１１】
請求項１から１０のいずれか一項に記載のＬＥＤ点灯装置と、前記ＬＥＤとを備えたＬＥＤ照明装置。
【発明の詳細な説明】
【技術分野】
【０００１】
本発明は、ＬＥＤ点灯装置及びそれを用いたＬＥＤ照明装置に関する。
【背景技術】
【０００２】
特許文献１の電子装置では、プリント基板の下面にアルミニウム板が装着され、プリント基板の上面にＤＣ−ＤＣコンバータを構成する集積回路ＩＣ等の複数の電子部品が実装される。プリント基板の上面には、複数の電子部品を囲むようにケースが設けられる。ケース内にはシリコン等からなる軟粘性ポッテング材が、複数の電子部品を被覆するように充填される。
【先行技術文献】
【特許文献】
【０００３】
【特許文献１】特開平８−１１６１６０号公報
【発明の概要】
【発明が解決しようとする課題】
【０００４】
しかし、特許文献１の構成によると、放熱性の充填剤を介して発熱部品から非発熱部品に伝導される熱が問題となる。具体的には、ＬＥＤに直流電流を供給するためのＤＣ／ＤＣコンバータにおいて、出力平滑用の電解コンデンサが、トランス、スイッチング素子等の発熱部品から充填剤を介して、いわゆるもらい熱を受ける。電解コンデンサの寿命は使用温度に大きく影響されるため、もらい熱が大きいほど電解コンデンサは短寿命化し、すなわち早期に容量が低下してしまう。そして、出力平滑用の電解コンデンサの容量が低下することにより、ＬＥＤへの供給電流の低周波リップルが増大して平均光出力が低下してしまう。さらに、ＬＥＤへの印加電圧の低周波リップルの谷部がＬＥＤの順方向降下電圧未満となるとＬＥＤはリップル周波数で点滅することになり、光出力におけるちらつきが視認され得ることになる。すなわち、出力平滑用の電解コンデンサの短寿命化によってＬＥＤ点灯装置の短寿命化がもたらされてしまう。
【０００５】
そこで、本発明は、出力平滑用の電解コンデンサが発熱部品から受ける熱伝導を軽減して、長寿命化されたＬＥＤ点灯装置及びそれを用いたＬＥＤ照明装置を提供することを課題とする。
【課題を解決するための手段】
【０００６】
本発明の第１の形態のＬＥＤ点灯装置は、交流電源が供給される入力フィルタ回路、入力フィルタ回路の出力端に接続された整流回路、整流回路の出力端に接続されたＤＣ／ＤＣコンバータ回路、及びＤＣ／ＤＣコンバータ回路の出力端間に接続された電解コンデンサを含む平滑回路を有し、ＤＣ／ＤＣコンバータ回路の直流出力電流をＬＥＤに供給する点灯回路が実装された回路基板と、回路基板が内包されたケースであって、回路基板に垂直な方向において一端側の第１の領域及び他端側の第２の領域を有し、第１の領域に少なくとも入力フィルタ回路及び電解コンデンサが配置されるとともに第２の領域に少なくともＤＣ／ＤＣコンバータ回路が配置されるように回路基板が内包されたケースと、ケース内で第１の領域に充填されずに第２の領域に充填された放熱性充填剤とを備える。
【０００７】
本発明の第２の形態のＬＥＤ点灯装置は、交流電源が供給される入力フィルタ回路、入力フィルタ回路の出力端に接続された整流回路、整流回路の出力端に接続されたＤＣ／ＤＣコンバータ回路、ＤＣ／ＤＣコンバータ回路の入力端間に接続された電解コンデンサを含む平滑回路、及びＤＣ／ＤＣコンバータ回路の出力端間に接続された出力コンデンサを有し、ＤＣ／ＤＣコンバータ回路の直流出力電流をＬＥＤに供給する点灯回路が実装された回路基板と、回路基板が内包されたケースであって、回路基板に垂直な方向において一端側の第１の領域及び他端側の第２の領域を有し、第１の領域に少なくとも入力フィルタ回路及び電解コンデンサが配置されるとともに第２の領域に少なくともＤＣ／ＤＣコンバータ回路が配置されるように回路基板が内包されたケースと、ケース内で第１の領域に充填されずに第２の領域に充填された放熱性充填剤とを備える。
【０００８】
上記第１及び第２の形態のＬＥＤ点灯装置によると、ＤＣ／ＤＣコンバータ回路等の発熱部品が放熱性充填剤に含まれ、電解コンデンサが放熱性充填剤に含まれない構成としたので、電解コンデンサが放熱性充填剤を介して発熱部品から受ける熱伝導が軽減される。したがって、電解コンデンサが長寿命化され、これにより長寿命化されたＬＥＤ点灯装置が実現される。
【０００９】
ここで、整流回路がダイオードブリッジを含み、整流回路の少なくともダイオードブリッジが第２の領域に配置されることが好ましい。これにより、電解コンデンサがダイオードブリッジから受ける輻射熱が軽減され、その更なる長寿命化が可能となる。
【００１０】
また、交流電源に接続される入力配線及びＬＥＤに接続される出力配線がケースの一端側から引き出されるように構成される。この構成によると、点灯回路において入力配線に近い入力フィルタ回路及び出力配線に近い平滑回路が一端側の第１の領域に配置され、いずれの配線からも遠く、かつ放熱性充填剤による浸漬が必要なＤＣ／ＤＣコンバータ回路が他端側の第２の領域に配置される。これにより、回路基板における効率的な配線パターンの引回しと放熱性充填剤の充填量の最適化又は減量とが両立可能となる。
【００１１】
また、本発明の第３の形態では、平滑回路が、並列接続される第１及び第２の電解コンデンサと、第１及び第２の電解コンデンサの通電状態を制御するように構成されたスイッチ回路と、第１の電解コンデンサの両端電圧を検出する電圧検出回路と、第１の電解コンデンサを通電させた状態で両端電圧の低周波リップルの大きさが所定値を超えた場合に第１の電解コンデンサを非通電状態として第２の電解コンデンサを通電状態とするようにスイッチ回路を制御する切換回路とを備える。
【００１２】
また、本発明の第４の形態では、平滑回路が、並列接続される第１及び第２の電解コンデンサと、第１及び第２の電解コンデンサの通電状態を制御するように構成されたスイッチ回路と、第１の電解コンデンサに流れるコンデンサ電流を検出する電流検出回路と、第１の電解コンデンサを通電させた状態でコンデンサ電流の低周波リップルの大きさが所定値を超えた場合に第１の電解コンデンサを非通電状態として第２の電解コンデンサを通電状態とするようにスイッチ回路を制御する切換回路とを備える。
【００１３】
また、本発明の第５の形態では、平滑回路が、並列接続される第１及び第２の電解コンデンサと、第１及び第２の電解コンデンサの通電状態を制御するように構成されたスイッチ回路と、ＬＥＤの点灯回ごとに第１及び第２の電解コンデンサが択一的に交互に通電するようにスイッチ回路を制御する切換回路とを備える。
【００１４】
上記第３から第５の形態により、平滑回路の機能が、単一の電解コンデンサを用いる場合の２倍に長寿命化され、ＬＥＤ点灯装置の更なる長寿命化が可能となる。
【００１５】
また、上記第３から第５の形態において、スイッチ回路が第２の領域に配置されることが好ましい。また、上記第４の形態において、電流検出回路が電流検出抵抗を備え、電流検出抵抗が第２の領域に配置されることが好ましい。これにより、これにより、電解コンデンがスイッチ回路又は電流検出抵抗から受ける輻射熱が軽減され、その更なる長寿命化が可能となる。
【００１６】
さらに、第１の領域において、放熱性充填剤と接する断熱性充填剤が設けられてもよい。このように、断熱性充填剤によって、第２の領域の放熱性充填剤から電解コンデンサへの輻射熱が軽減され、電解コンデンサの更なる長寿命化が可能となる。
【００１７】
本発明のＬＥＤ照明装置は、上記いずれかのＬＥＤ点灯装置と、ＬＥＤとを備える。上述のようにＬＥＤ照明装置は長寿命化が可能なＬＥＤ点灯装置を備えるので、ＬＥＤの長寿命化に適応したＬＥＤ照明装置が実現される。
【図面の簡単な説明】
【００１８】
【図１】第１の実施形態によるＬＥＤ点灯装置及びＬＥＤ照明装置の回路図である。
【図２Ａ】第１の実施形態によるＬＥＤ点灯装置の分解上面図である。
【図２Ｂ】第１の実施形態によるＬＥＤ点灯装置の分解側面図である。
【図３】第２の実施形態によるＬＥＤ点灯装置及びＬＥＤ照明装置の回路図である。
【図４】第３の実施形態によるＬＥＤ点灯装置の平滑回路の回路図である。
【図５】第４の実施形態によるＬＥＤ点灯装置の平滑回路の回路図である。
【図６】第５の実施形態によるＬＥＤ点灯装置の平滑回路の回路図である。
【図７】変形例によるＬＥＤ点灯装置を示す図である。
【発明を実施するための形態】
【００１９】
＜第１の実施形態＞
図１に、第１の実施形態によるＬＥＤ点灯装置１及びＬＥＤ照明装置６の回路図を示す。ＬＥＤ照明装置６はＬＥＤ点灯装置１及びＬＥＤ５を含み、ＬＥＤ点灯装置１はＬＥＤ５を点灯するためのスイッチング電源であり、点灯回路１０を含む。
【００２０】
点灯回路１０は、入力フィルタ回路２０、整流回路３０、ＤＣ／ＤＣコンバータ回路４０、制御回路４５及び平滑回路５０を備える。点灯回路１０は、交流電源ＡＣ（例えば５０Ｈｚ又は６０Ｈｚの商用電源）から入力配線Ｗ１及びＷ２を介して入力される交流電圧を所定の直流電流に変換し、直流出力電流を出力配線Ｗ３及びＷ４を介してＬＥＤ５に供給する。
【００２１】
入力フィルタ回路２０は、例えば、コンデンサ２１、フィルタコイル２２及びコンデンサ２３を含み、入力配線Ｗ１及びＷ２を介して交流電源ＡＣが供給される。コンデンサ２１及び２３は交流入力ライン間に接続されたいわゆるＸコンデンサであり、フィルタコイル２２はコモンモードノイズ除去用のコモンフィルタである。ただし、フィルタ構成は上記に限られず他の形態であってもよい。例えば、ノーマルモードノイズ除去用のノーマルフィルタ、電流ヒューズ等が交流入力ラインに挿入接続されてもよいし、バリスタが交流入力ライン間に接続されていてもよいし、交流入力ラインと接地点間にバイパスコンデンサが接続されていてもよい。
【００２２】
整流回路３０は、ダイオードブリッジ３１及び入力コンデンサ３２を含む。ダイオードブリッジ３１が入力フィルタ回路２０の出力を全波整流し、入力コンデンサ３２がダイオードブリッジ３１の全波整流出力を若干平滑する。ダイオードブリッジ３１は、単一のブリッジダイオード素子であってもよいし、４本のダイオードからなるものであってもよく、また、ディスクリート部品であってもよいし、面実装部品であってもよい。入力コンデンサ３２はフィルムコンデンサである。
【００２３】
ＤＣ／ＤＣコンバータ回路４０は、スイッチング素子４１、トランス４２、ダイオード４３及び電流検出抵抗４４を含み、絶縁型のフライバックコンバータを構成する。特に、ＤＣ／ＤＣコンバータ回路４０は、入力側の相対的に小容量の入力コンデンサ３２及び出力側の相対的に大容量の電解コンデンサ５１（後述）とともに力率改善型のいわゆるワンコンバータ方式のフライバックコンバータを形成する。スイッチング素子４１はＭＯＳＦＥＴ等からなり（以下、「ＦＥＴ４１」ともいう）、制御回路４５は、電流検出抵抗４４によって検出されるＦＥＴ４１の電流を参照してＦＥＴ４１をＰＷＭ駆動する。なお、制御回路４５は、整流回路３０の出力電圧の降下電圧又はトランス４２の補助巻線（不図示）に発生する電圧から制御電源の供給を適宜受けるものとする。
【００２４】
ＦＥＴ４１のＰＷＭ駆動におけるオン期間に、入力コンデンサ３２の電圧をもとに、入力コンデンサ３２→トランス４２の１次巻線Ｐ→電流検出抵抗４４に電流が流れ、トランス４２にエネルギーが蓄えられる。また、前オン期間において電解コンデンサ５１に充電された電圧をもとに電解コンデンサ５１→ＬＥＤ５にも電流が流れる。ＦＥＴ４１のオフ期間に、トランス４２に蓄えられたエネルギーをもとに、トランス４２の２次巻線Ｓ→ダイオード４３→電解コンデンサ５１／ＬＥＤ５に電流が流れる。
【００２５】
平滑回路５０は電解コンデンサ５１（アルミ電解コンデンサ）からなり、ＤＣ／ＤＣコンバータ回路４０からＬＥＤ５に供給される出力を平滑する。電解コンデンサ５１によって、出力電圧及び出力電流における、交流電源ＡＣの電源周波数（５０Ｈｚ又は６０Ｈｚ）の２倍の周波数のリップル（以下、「低周波リップル」という）が軽減又は除去される。ここで、仮に電解コンデンサ５１が寿命末期となったとすると（例えば、その容量が初期容量の５０％程度まで低下したとすると）、低周波リップルが増大する。出力電流（ＬＥＤ電流）における低周波リップルが増大すると平均光出力が低下してしまう。また、出力電圧における低周波リップルが増大してその谷部の電圧がＬＥＤ５の順方向降下電圧未満となるとＬＥＤ５はリップル周波数（１００Ｈｚ又は１２０Ｈｚ）で点滅することになり、これが光出力のちらつきとして視認され得る。このような状態となると、点灯回路１０の電解コンデンサ５１以外の回路部品及びＬＥＤ５が寿命となっていなくてもＬＥＤ点灯装置１としては寿命として扱われることになる。
【００２６】
図２Ａ及び図２Ｂに、本実施形態におけるＬＥＤ点灯装置１の構成を示す。図２Ａは、ＬＥＤ点灯装置１の上面分解図であり、後述するケース３の上面３ｃがなかったとした場合の上面図である。図２Ｂは、ＬＥＤ点灯装置１の側面分解図であり、後述するケース３の側面３ｄがなかったとした場合の側面図である。なお、各図面は模式図であり、寸法通りではない。また、図の明瞭化のために、回路部品の一部のみが図示される。
【００２７】
ＬＥＤ点灯装置１は、点灯回路１０が実装された回路基板２、回路基板２が内包されるケース３、及びケース３内に充填された放熱性充填剤４（以下、「充填剤４」という）を備える。なお、以降の説明において、回路基板２の長手方向に平行な方向をｘ軸方向、短手方向に平行な方向をｙ軸方向、ｘ軸及びｙ軸に垂直な方向をｚ軸方向というものとする。
【００２８】
回路基板２は、基板表面２ａ及び基板裏面２ｂを有する。基板表面２ａには、入力フィルタ回路２０の各部品、入力コンデンサ３２、トランス４２、電解コンデンサ５１等のディスクリート部品が実装される。基板裏面２ｂには、制御回路４５等の面実装部品が実装される。ダイオードブリッジ３１、ＦＥＴ４１、ダイオード４３、電流検出抵抗４４等はそれぞれディスクリート部品であってもよいし、面実装部品であってもよい。
【００２９】
ケース３は、回路基板２を内包及び固定する金属製筐体である。ケース３は、有底筒体である本体３ａ及びその筒体の開口端を塞ぐカバー３ｇからなる。本体３ａは、ｘ−ｙ平面に平行で基板裏面２ｂに対向する底面３ｂ、ｘ−ｙ平面に平行で基板表面２ａに対向する上面３ｃ、ｘ−ｚ平面に平行で相互に対向する側面３ｄ及び３ｅ、並びにｙ−ｚ平面に平行で筒体の終端を形成する端面３ｆを有する。端面３ｆに対向配置されるカバー３ｇには適宜の孔部が設けられ、その孔部から配線Ｗ１、Ｗ２、Ｗ３及びＷ４が引き出され、また必要に応じてアース線Ｗ５が引き出される。ケース３の内面には樹脂製の絶縁シートが取り付けられてもよい。
【００３０】
ここで、ケース３の内部は、ｘ軸方向においてカバー３ｇ側の領域Ｒ１と端面３ｆ側の領域Ｒ２に区分され、領域Ｒ１は更に概ねｙ軸方向において領域Ｒ１ａ及びＲ１ｂに区分される。図１、図２Ａ及び図２Ｂに示すように、領域Ｒ１ａには入力フィルタ回路２０が配置され、領域Ｒ１ｂには平滑回路５０が配置され、領域Ｒ２には整流回路３０、ＤＣ／ＤＣコンバータ回路４０及び制御回路４５が配置される。言い換えると、回路基板２がケース３に内包された状態で上記のような部品配置となるように各回路部品が回路基板２に実装されるものとする。
【００３１】
充填剤４はシリコン等の絶縁性かつ放熱性の充填剤であり、領域Ｒ２に充填される。領域Ｒ１には充填剤は充填されない。具体的には、ＬＥＤ点灯装置１の製造において、まず、点灯回路１０が実装された回路基板２が本体３ａの開口端からその内部に挿入される。次に、本体３ａの端面３ｆを鉛直下方向に向けた状態で、液体状の充填剤４が本体３ａの開口端から領域Ｒ２に注入される。そして、充填剤４が乾燥され、カバー３ｇが本体３ａに装着される。したがって、充填剤４の露出面４ａ（すなわち、領域Ｒ１と領域Ｒ２の境界）は、回路基板２に対して垂直でかつ端面３ｆに平行となる。なお、上記から分かるように、回路基板２上及びケース３内において、領域Ｒ１ａと領域Ｒ１ｂの位置的な区分は直線的又は明示的なものでなくてもよい。
【００３２】
上記構成により、比較的発熱が大きいダイオードブリッジ３１、ＦＥＴ４１、トランス４２、ダイオード４３、電流検出抵抗４４等が充填剤４に浸漬される一方で、比較的発熱の小さいフィルタコイル２２、実質的に発熱がないコンデンサ２１及び２３、電解コンデンサ５１等は充填剤４に接することはない。したがって、領域Ｒ２の回路部品における発熱が充填剤４を介して領域Ｒ１の回路部品に伝導されることはない。
【００３３】
なお、ダイオードブリッジ３１に比較的電流容量の大きい素子が用いられる場合にはその発熱は大きな問題とならないことから、ダイオードブリッジ３１が領域Ｒ１ａに配置されるようにしてもよい。また、入力コンデンサ３２は非発熱部品であるから、入力コンデンサ３２も領域Ｒ１ａに配置されるようにしてもよい。また、制御回路４５は主に小信号回路から構成されるため、制御回路４５の一部又は全部も領域Ｒ１ａ又はＲ１ｂに配置されるようにしてもよい。
【００３４】
領域Ｒ２にダイオードブリッジ３１が含まれる場合には、ダイオードブリッジ３１から電解コンデンサ５１への輻射熱（空気又は回路基板２を介した輻射熱、以下同じ）が軽減され、電解コンデンサ５１の長寿命化の効果が高まる。一方、より狭い領域Ｒ２により少ない回路部品が含まれる場合（すなわち、ダイオードブリッジ３１、入力コンデンサ３２及び制御回路４５の、より多くの部分が領域Ｒ１に含まれる場合）には、充填剤４を減量することができ、低コスト化、軽量化、乾燥工程の短縮化による生産効率の向上において有利である。また、ダイオードブリッジ３１及び入力コンデンサ３２双方をまとめて領域Ｒ１ａ又はＲ２に配置することにより、回路基板２において効率的な配線パターンが実現され、ＬＥＤ点灯装置１の小型化が可能となる。
【００３５】
以上のように、本実施形態のＬＥＤ点灯装置１は、回路基板２、ケース３及び充填剤４を備える。回路基板２に点灯回路１０が実装され、点灯回路１０は、交流電源ＡＣが供給される入力フィルタ回路２０、入力フィルタ回路２０の出力端に接続された整流回路３０、整流回路３０の出力端に接続されたＤＣ／ＤＣコンバータ回路４０、及びＤＣ／ＤＣコンバータ回路４０の出力端間に接続された電解コンデンサ５１を含む平滑回路５０を有し、ＤＣ／ＤＣコンバータ回路４０の直流出力電流がＬＥＤ５に供給される。ケース３は回路基板２を内包し、回路基板２に垂直なｘ軸方向において一端（カバー３ｇ）側の領域Ｒ１及び他端（端面３ｆ）側の領域Ｒ２を有する。領域Ｒ１に少なくとも入力フィルタ回路２０及び電解コンデンサ５１が配置されるとともに領域Ｒ２に少なくともＤＣ／ＤＣコンバータ回路４０が配置されるように回路基板２が内包される。そして、ケース３内において、放熱性の充填剤４が領域Ｒ１に充填されずに領域Ｒ２に充填される。このように、ＤＣ／ＤＣコンバータ回路４０等の発熱部品が充填剤４に含まれ、電解コンデンサ５１が充填剤４に含まれない構成としたので、電解コンデンサ５１が充填剤４を介して発熱部品から受ける熱伝導が軽減される。したがって、電解コンデンサ５１が長寿命化され、これにより長寿命化されたＬＥＤ点灯装置１が実現される。
【００３６】
また、交流電源ＡＣに接続される入力配線Ｗ１及びＷ２並びにＬＥＤ５に接続される出力配線Ｗ３及びＷ４がケース３の一端側（カバー３ｇ側）から引き出されるように構成される。この構成によると、点灯回路１０において入力配線Ｗ１及びＷ２に近い入力フィルタ回路２０並びに出力配線Ｗ３及びＷ４に近い平滑回路５０がカバー３ｇ側の領域Ｒ１に配置され、いずれの配線Ｗ１〜Ｗ４からも遠く、かつ充填剤４による浸漬が必要なＤＣ／ＤＣコンバータ回路４０が端面３ｆ側の領域Ｒ２に配置される。これにより、回路基板２における効率的な配線パターンの引回しと充填剤４の充填量の最適化又は減量とが両立可能となる。また、このようなＬＥＤ点灯装置１がＬＥＤ５と組み合わされることにより、ＬＥＤ５の長寿命化に適応したＬＥＤ照明装置６が実現される。
【００３７】
＜第２の実施形態＞
上記第１の実施形態では、平滑回路５０がＤＣ／ＤＣコンバータ回路４０の出力側に接続される構成を示したが、本実施形態では平滑回路５０がＤＣ／ＤＣコンバータ回路４０の入力側に接続される構成を示す。この構成は力率改善機能を有しないが、電源高調波規制のクラスＤを満足すればよい低ワット（入力電力３０Ｗ以下）のＬＥＤ点灯装置に適用され得る。
【００３８】
図３に、本実施形態のＬＥＤ点灯装置１（点灯回路１０）及びＬＥＤ照明装置６の回路図を示す。本実施形態は、ＤＣ／ＤＣコンバータ回路４０の入力端間に平滑回路５０が接続され、出力端間に出力コンデンサ６０が接続される点で第１の実施形態と異なる。ただし、本実施形態のフライバックコンバータと第１の実施形態のフライバックコンバータとは特性が異なるが基本動作原理は同様である。本実施形態において、第１の実施形態と同様の構成には同様の符号を付し、その重複する説明を省略する。
【００３９】
平滑回路５０は、電解コンデンサ５２（アルミ電解コンデンサ）からなり、整流回路３０の出力電圧を平滑する。出力コンデンサ６０は、フィルムコンデンサ（又はセラミックコンデンサ）からなり、ＤＣ／ＤＣコンバータ回路４０の高周波リップルを平滑する（フィルタリングする）。電解コンデンサ５２の容量は出力コンデンサ６０の容量よりも大きく、この構成においても、平滑回路５０の電解コンデンサ５２が低周波リップルを平滑する機能を担う。
【００４０】
本実施形態においても、ケース３の内部は、カバー３ｇ側の領域Ｒ１と端面３ｆ側の領域Ｒ２に区分けされ、領域Ｒ２に充填剤４が充填される。領域Ｒ１ａには入力フィルタ回路２０及び平滑回路５０が配置され、領域Ｒ１ｂには出力コンデンサ６０が配置され、領域Ｒ２には整流回路３０、ＤＣ／ＤＣコンバータ回路４０及び制御回路４５が配置される。言い換えると、回路基板２がケース３に内包された状態で上記のような部品配置となるように各回路部品が回路基板２に実装されるものとする。
【００４１】
これにより、比較的発熱が大きいダイオードブリッジ３１、ＦＥＴ４１、トランス４２、ダイオード４３、電流検出抵抗４４等が充填剤４に浸漬される一方で、比較的発熱の小さいフィルタコイル２２、実質的に発熱がないコンデンサ２１及び２３、電解コンデンサ５２、出力コンデンサ６０等は充填剤４に接することはない。したがって、領域Ｒ２の回路部品における発熱が充填剤４を介して領域Ｒ１の回路部品に伝導されることはない。
【００４２】
なお、ダイオードブリッジ３１に比較的電流容量の大きい素子が用いられる場合にはその発熱は大きな問題とならないことから、ダイオードブリッジ３１は領域Ｒ１ａに配置されてもよい。これにより、ダイオードブリッジ３１及び電解コンデンサ５２の配線パターンの引回しが効率的となる。また、制御回路４５は主に小信号回路から構成されるため、制御回路４５の一部又は全部が領域Ｒ１ａ又はＲ１ｂに配置されるようにしてもよい。
【００４３】
領域Ｒ２にダイオードブリッジ３１が含まれる場合、ダイオードブリッジ３１から電解コンデンサ５１への輻射熱が軽減され、電解コンデンサ５１の長寿命化の効果が高まる。一方、より狭い領域Ｒ２により少ない回路部品が含まれる場合（すなわち、ダイオードブリッジ３１及び制御回路４５の、より多くの部分が領域Ｒ１に含まれる場合）には、充填剤４を減量することができ、低コスト化、軽量化、乾燥工程の短縮化による生産効率の向上において有利である。
【００４４】
以上のように、本実施形態のＬＥＤ点灯装置１は、回路基板２、ケース３及び充填剤４を備える。回路基板２に点灯回路１０が実装され、点灯回路１０は、交流電源ＡＣが供給される入力フィルタ回路２０、入力フィルタ回路２０の出力端に接続された整流回路３０、整流回路３０の出力端に接続されたＤＣ／ＤＣコンバータ回路４０、ＤＣ／ＤＣコンバータ回路４０の入力端間に接続された電解コンデンサ５２を含む平滑回路５０及びＤＣ／ＤＣコンバータ回路４０の出力端間に接続された出力コンデンサ６０を有し、ＤＣ／ＤＣコンバータ回路４０の直流出力電流がＬＥＤ５に供給される。ケース３は回路基板２を内包し、回路基板２に垂直なｘ軸方向において一端（カバー３ｇ）側の領域Ｒ１及び他端（端面３ｆ）側の領域Ｒ２を有する。領域Ｒ１に少なくとも入力フィルタ回路２０及び電解コンデンサ５２が配置されるとともに領域Ｒ２に少なくともＤＣ／ＤＣコンバータ回路４０が配置されるように回路基板２が内包される。そして、ケース３内において、放熱性の充填剤４が領域Ｒ１に充填されずに領域Ｒ２に充填される。これにより、第１の実施形態と同様に、ＤＣ／ＤＣコンバータ回路４０等の発熱部品が充填剤４に含まれ、電解コンデンサ５２が充填剤４に含まれない構成としたので、電解コンデンサ５２が充填剤４を介して発熱部品から受ける熱伝導が軽減される。したがって、電解コンデンサ５２が長寿命化され、これにより長寿命化されたＬＥＤ点灯装置１が実現される。
【００４５】
＜第３の実施形態＞
上記第１及び第２の実施形態では、平滑回路５０が１つの電解コンデンサからなる構成を示したが、本実施形態では平滑回路５０において複数の電解コンデンサが切り換えられて使用される構成を示す。
【００４６】
図４に、本実施形態のＬＥＤ点灯装置１の点灯回路１０における平滑回路５０を示す。平滑回路５０は、第１の実施形態のようにＤＣ／ＤＣコンバータ回路４０の出力端に接続されるものであってもよいし、第２の実施形態のようにＤＣ／ＤＣコンバータ回路４０の入力端（すなわち、整流回路３０の出力端）に接続されるものであってもよい。
【００４７】
平滑回路５０は、電解コンデンサ５３及び５４、スイッチ回路５５、電圧検出回路５６並びに切換回路５８を備える。電解コンデンサ５３及び５４の各々は、電解コンデンサ５１又は５２と同じ容量のアルミ電解コンデンサからなる。
【００４８】
スイッチ回路５５はスイッチ素子５５１及び５５２を含み、スイッチ素子５５１及び５５２は電解コンデンサ５３及び５４にそれぞれ直列接続される。スイッチ素子５５１及び５５２の開閉状態は切換回路５８によって制御される。すなわち、電解コンデンサ５３及び５４は通電切換可能な状態で並列接続される。スイッチ素子５５１及び５５２は、ＭＯＳＦＥＴ等の半導体部品であってもよいし、リレースイッチ等の電子部品又は機械部品であってもよい。
【００４９】
電圧検出回路５６は電解コンデンサ５３及び５４に並列接続された抵抗分圧回路からなる。電圧検出回路５６によって電解コンデンサ５３又は５４の両端電圧が検出され、この検出値が切換回路５８に入力される。
【００５０】
切換回路５８は、例えばマイコンからなり、出力部５８１、演算部５８２、比較部５８３及び記憶部５８５を含む。出力部５８１、演算部５８２及び比較部５８３はＣＰＵを構成し、記憶部５８５は不揮発性メモリである。切換回路５８の制御電源は、トランス４２の補助巻線に発生する電圧等から適宜供給されるものとする。
【００５１】
出力部５８１は、記憶部５８５に記憶されている選択データに従って、又は比較部５８３からの切換指令を受けてスイッチ素子５５１及び５５２の導通状態（オン／オフ）を制御する。ＬＥＤ点灯装置１の使用開始時のデフォルト設定では、選択データは、スイッチ素子５５１／５５２をそれぞれオン／オフとなるように設定されているものとする。すなわち、使用開始時には電解コンデンサ５３のみが通電状態とされる。なお、出力部５８１の出力段に増幅回路（トランジスタ等）が設けられていてもよい。
【００５２】
演算部５８２は、電圧検出回路５６から入力される検出値（両端電圧）の低周波リップルの大きさを特定する。例えば、演算部５８２は、検出値のピーク値（最大値）からボトム値（最小値）を減算した差分、ピーク値に対するボトム値の割合、ピーク値に対する所定期間（リップル周期の整数倍の期間）にわたる検出値の平均値の割合等を演算する。そして、演算部５８２は、低周波リップルの大きさを上記差分又は割合に基づいて特定する。上記差分が大きいほど、及び上記各割合が小さいほど、低周波リップルが大きいと特定される。
【００５３】
比較部５８３は、演算部５８２によって特定された低周波リップルの大きさが所定値を超えた場合に、切換指令を出力部５８１に出力する。これにより、出力部５８１はスイッチ素子５５２をオン状態として電解コンデンサ５４を通電状態とするとともに、スイッチ素子５５１をオフ状態として電解コンデンサ５３を非通電状態とする。また、比較部５８３は、記憶部５８５に記憶されている選択データを、スイッチ素子５５１がオフされるとともにスイッチ素子５５２がオンされる設定に書き換える。これにより、出力部５８１は、次回点灯からスイッチ素子５５１をオフするとともにスイッチ素子５５２をオンするよう動作する。なお、上記所定値は、電解コンデンサ５３が寿命と判定される直前の低周波リップルの大きさを示す値であればよい。言い換えると、低周波リップルの大きさが所定値に等しい場合には、ＬＥＤ５は正常に点灯される。
【００５４】
その後、電解コンデンサ５４の通電状態において、演算部５８２によって特定される低周波リップルが所定値を超えた場合に、比較部５８３が再度スイッチ素子５５１／５５２をそれぞれオン／オフとするように切換指令の出力及び選択データの書き換えを行うようにしてもよい。これは、スイッチ素子５５１をオフ状態とする最初の切換が誤検出等に起因する誤動作であった場合に、寿命が進んでいない電解コンデンサ５３を再度使用できるようにするための動作である。また、スイッチ素子５５１／５５２をオン／オフとしてもオフ／オンとしても低周波リップルが所定値を超える場合には、比較部５８３がスイッチ素子５５１及び５５２の双方をオン状態とするように切換指令の出力及び選択データの書換えを行うようにしてもよい。これにより、電解コンデンサ５３及び５４の双方が通電状態となり、その後しばらくは低周波リップルの増大に起因する平均光出力の低下又はちらつきの発生が回避される。
【００５５】
本実施形態においても、ケース３の内部は、カバー３ｇ側の領域Ｒ１と端面３ｆ側の領域Ｒ２に区分けされ、領域Ｒ２に充填剤４が充填される。平滑回路５０のうちの電解コンデンサ５３及び５４は、領域Ｒ１に配置される。スイッチ素子５５１及び５５２は発熱部品となり得るため、領域Ｒ２に配置されることが好ましい。これにより、電解コンデンサ５３及び５４がスイッチ素子５５１又は５５２から受ける輻射熱が軽減される。その他の電圧検出回路５６及び切換回路５８は、領域Ｒ１又はＲ２のいずれに配置されてもよい。
【００５６】
以上のように、本実施形態のＬＥＤ点灯装置１では、平滑回路５０は、並列接続される電解コンデンサ５３及び５４と、電解コンデンサ５３及び５４の通電状態を制御するように構成されたスイッチ回路５５と、電解コンデンサ５３の両端電圧を検出する電圧検出回路５６と、電解コンデンサ５３を通電させた状態で両端電圧の低周波リップルの大きさが所定値を超えた場合に電解コンデンサ５３を非通電状態として電解コンデンサ５４を通電状態とするようにスイッチ回路５５を制御する切換回路５８を含む。これにより、平滑回路５０の機能が、単一の電解コンデンサを用いる場合の２倍に長寿命化され、ＬＥＤ点灯装置１の更なる長寿命化が可能となる。
【００５７】
＜第４の実施形態＞
上記第３の実施形態では、スイッチ回路５５が出力電圧における低周波リップルに基づいて切り換えられる構成を示したが、本実施形態ではスイッチ回路５５が出力電流における低周波リップルに基づいて切り換えられる構成を示す。
【００５８】
図５に、本実施形態のＬＥＤ点灯装置１の点灯回路１０における平滑回路５０を示す。平滑回路５０は、第１の実施形態のようにＤＣ／ＤＣコンバータ回路４０の出力端に接続されるものであってもよいし、第２の実施形態のようにＤＣ／ＤＣコンバータ回路４０の入力端（すなわち、整流回路３０の出力端）に接続されるものであってもよい。
【００５９】
平滑回路５０は、電解コンデンサ５３及び５４、スイッチ回路５５、電流検出回路５７並びに切換回路５８を備える。第３の実施形態と同様に、ＬＥＤ点灯装置１の使用開始時のデフォルト設定として、スイッチ回路５５のスイッチ素子５５１／５５２がそれぞれオン／オフとなるように構成される。
【００６０】
電流検出回路５７は、電解コンデンサ５３に直列接続された低抵抗素子からなる電流検出抵抗５７１と、電流検出抵抗５７１に発生する電圧を整流及び平滑するダイオード５７２及びコンデンサ５７３とを含む。電流検出回路５７によって電解コンデンサ５３のコンデンサ電流が検出され、この検出値が切換回路５８に入力される。
【００６１】
演算部５８２は、電流検出回路５７から入力される検出値（コンデンサ電流）の低周波リップルの大きさを特定する。電流検出回路５７によって検出される電圧は、電解コンデンサ５３の両端電圧にほぼ比例する。したがって、第３の実施形態と同様に、演算部５８２は、検出値のピーク値（最大値）からボトム値（最小値）を減算した差分、ピーク値に対するボトム値の割合、ピーク値に対する上記所定期間にわたる検出値の平均値の割合等に基づいて低周波リップルの大きさを特定する。なお、上記差分が大きいほど、及び上記各割合が小さいほど、低周波リップルが大きいと特定される。
【００６２】
したがって、第３の実施形態と同様に、比較部５８３は、演算部５８２によって特定されたリップルの大きさが所定値を超えた場合に、切換指令を出力部５８１に出力する。これにより、上述したように、出力部５８１はスイッチ素子５５２をオン状態として電解コンデンサ５４を通電状態とするとともに、スイッチ素子５５１をオフ状態として電解コンデンサ５３を非通電状態とする。また、比較部５８３は、記憶部５８４に記憶されている選択データを書き換え、次回点灯からスイッチ素子５５１／５５２がオフ／オンとなるようにする。
【００６３】
本実施形態においても、ケース３の内部は、カバー３ｇ側の領域Ｒ１と端面３ｆ側の領域Ｒ２に区分けされ、領域Ｒ２に充填剤４が充填される。平滑回路５０のうちの電解コンデンサ５３及び５４は、領域Ｒ１に配置される。スイッチ素子５５１及び５５２並びに電流検出抵抗５７１は発熱部品となり得るため、これらの一部又は全部が領域Ｒ２に配置されることが好ましい。これにより、電解コンデンサ５３及び５４がスイッチ素子５５１若しくは５５２又は電流検出抵抗５７１から受ける輻射熱が軽減される。その他の回路部品は、領域Ｒ１又はＲ２のいずれに配置されてもよい。
【００６４】
以上のように、本実施形態のＬＥＤ点灯装置１では、平滑回路５０は、並列接続される電解コンデンサ５３及び５４と、電解コンデンサ５３及び５４の通電状態を制御するように構成されたスイッチ回路５５と、電解コンデンサ５３に流れるコンデンサ電流を検出する電流検出回路５７と、電解コンデンサ５３を通電させた状態でコンデンサ電流の低周波リップルの大きさが所定値を超えた場合に電解コンデンサ５３を非通電状態として電解コンデンサ５４を通電状態とするようにスイッチ回路５５を制御する切換回路５８を備える。これにより、平滑回路５０の機能が、単一の電解コンデンサを用いる場合の２倍に長寿命化され、ＬＥＤ点灯装置１の更なる長寿命化が可能となる。
【００６５】
＜第５の実施形態＞
上記第３及び第４の実施形態では、スイッチ回路５５が出力電圧又は出力電流における低周波リップルに基づいて切り換えられる構成を示したが、本実施形態ではスイッチ回路５５が点灯回ごとに切り換えられる構成を示す。
【００６６】
図６に、本実施形態のＬＥＤ点灯装置１の点灯回路１０における平滑回路５０を示す。第３の実施形態と同様に、平滑回路５０は、第１の実施形態のようにＤＣ／ＤＣコンバータ回路４０の出力端に接続されるものであってもよいし、第２の実施形態のようにＤＣ／ＤＣコンバータ回路４０の入力端（すなわち、整流回路３０の出力端）に接続されるものであってもよい。本実施形態において、第３の実施形態と同様の構成には同様の符号を付し、その重複する説明を省略する。
【００６７】
平滑回路５０は、電解コンデンサ５３及び５４、スイッチ回路５５並びに切換回路５８を備える。ＬＥＤ点灯装置１の使用開始時のデフォルト設定として、記憶部５８５に記憶された選択データは、スイッチ回路５５のスイッチ素子５５１又は５５２のいずれかがオン状態とされるように設定される。
【００６８】
切換回路５８は、出力部５８１、反転部５８４及び記憶部５８５を備え、出力部５８１及び反転部５８４がＣＰＵを構成する。例えば、選択データ「０」がスイッチ素子５５１／５５２のオン／オフを示し、選択データ「１」がスイッチ素子５５１／５５２のオフ／オンを示す場合に、ｎ回目の点灯において選択データが「０」であったとする。ｎ回目の点灯において、反転部５８４は、切換回路５８の起動時（すなわち、制御電源の供給開始時）に記憶部５８５から読み出した選択データ「０」に従って出力部５８１にスイッチ素子５５１をオンさせ、記憶部５８５の選択データを「０」から「１」に書き換える。ｎ＋１回目の点灯においてに、反転部５８４は、切換回路５８の起動時に記憶部５８５から読み出した選択データ「１」に従って出力部５８１にスイッチ素子５５２をオンさせ、記憶部５８５の選択データを「１」から「０」に書き換える。このように、スイッチ素子５５１及び５５２が点灯回ごとに択一的に交互にオン／オフされ、したがって電解コンデンサ５３及び５４が択一的に交互に通電／非通電とされる。１回あたりの点灯継続時間は点灯回ごとに異なり得るが、電解コンデンサ５３及び５４の寿命という長期的視点において、電解コンデンサ５３及び５４の各使用時間は実質的に均等化される。
【００６９】
本実施形態においても、ケース３の内部は、カバー３ｇ側の領域Ｒ１と端面３ｆ側の領域Ｒ２に区分けされ、領域Ｒ２に充填剤４が充填される。平滑回路５０のうちの電解コンデンサ５３及び５４は、領域Ｒ１に配置される。スイッチ素子５５１及び５５２は発熱部品となり得るため、領域Ｒ２に配置されることが好ましい。これにより、電解コンデンサ５３及び５４がスイッチ素子５５１又は５５２から受ける輻射熱が軽減される。切換回路５８は、領域Ｒ１又はＲ２のいずれに配置されてもよい。
【００７０】
以上のように、本実施形態のＬＥＤ点灯装置１では、平滑回路５０は、並列接続される電解コンデンサ５３及び５４と、電解コンデンサ５３及び５４の通電状態を制御するように構成されたスイッチ回路５５と、ＬＥＤ５の点灯回ごとに電解コンデンサ５３及び５４が択一的に交互に通電するようにスイッチ回路５５を制御する切換回路５８を備える。これにより、平滑回路５０の機能が、単一の電解コンデンサを用いる場合の２倍に長寿命化され、ＬＥＤ点灯装置１の更なる長寿命化が可能となる。
【００７１】
＜変形例＞
以上に本発明の好適な実施形態を示したが、本発明は、例えば以下に示すように種々の態様に変形可能である。
【００７２】
（１）断熱性充填剤の付加
上記各実施形態では領域Ｒ１には何も充填されない構成を示したが、例えば図７に示すように、領域Ｒ１において、領域Ｒ２と接する絶縁性の断熱性充填剤７（以下、「充填剤７」という）が付加されてもよい。なお、図７は第１の実施形態の場合に対応し、その視方向は図２Ａの視方向と同じである。充填剤７の熱伝導率は充填剤４の熱伝導率よりも低いものとする。充填剤７は、充填剤４が乾燥された後に、本体３ａの開口端から充填剤４上に注入され、その後乾燥されるようにすればよい。充填剤７によって、領域Ｒ２の充填剤４から電解コンデンサ５１〜５４への輻射熱が軽減され、電解コンデンサ５１〜５４の更なる長寿命化が可能となる。なお、充填剤７は、図７に示すように領域Ｒ１の一部に充填されてもよいし、領域Ｒ１の全域に充填されてもよい。
【００７３】
（２）点灯回路１０の変形
上記各実施形態では、ＤＣ／ＤＣコンバータ回路４０がフライバックコンバータを構成する例を示したが、ＤＣ／ＤＣコンバータ回路４０はバックコンバータ、バックブーストコンバータ等の他の形態のＤＣ／ＤＣコンバータを構成するものであってもよい。
また、上記第３から第５の実施形態では、スイッチ回路５５が２つのスイッチ素子５５１及び５５２からなる構成を示したが、スイッチ回路５５が１つの単極双投スイッチからなる構成も可能である。この場合、電解コンデンサ５３及び５４のいずれか一方がＤＣ／ＤＣコンバータ回路４０の入力端間又は出力端間に接続されるようにすればよい。なお、第４の実施形態においては、電解コンデンサ５３がスイッチ回路５５と電流検出抵抗５７１の間に接続される必要がある。
【符号の説明】
【００７４】
１  ＬＥＤ点灯装置
２  回路基板
３  ケース
４  放熱性充填剤
５  ＬＥＤ
６  ＬＥＤ照明装置
７  断熱性充填剤
１０  点灯回路
２０  入力フィルタ回路
３０  整流回路
３１  ダイオードブリッジ
４０  ＤＣ／ＤＣコンバータ回路
５０  平滑回路
５１、５２、５３、５４  電解コンデンサ
５５  スイッチ回路
５６  電圧検出回路
５７  電流検出回路
５８  切換回路
６０  出力コンデンサ
Ｒ１、Ｒ２  領域
Ｗ１、Ｗ２  入力配線
Ｗ３、Ｗ４  出力配線
【図１】
0006582923.tif 000002
【図２Ａ】
0006582923.tif 000003
【図２Ｂ】
0006582923.tif 000004
【図３】
0006582923.tif 000005
【図４】
0006582923.tif 000006
【図５】
0006582923.tif 000007
【図６】
0006582923.tif 000008
【図７】
0006582923.tif 000009